(57)【要約】      （修正有）【課題】プルタブ型円筒状の飲料用缶容器における開缶後の飲み口及び開口部内に、塵埃等の異物が付着又は混入することを防止し、女性、高齢者、こどもや病者等がプルタブを容易に引き上げることができ、飲み残し缶容器が転倒したとき、缶内の飲料が外部にこぼれれることを防止し、かつ広告媒体又は販促商品として利用可能な飲料用缶容器のキャップ体を提供する。【解決手段】キャップ体Ｃは、少なくとも飲料用缶容器１０の外周縁上部１０ａに嵌合可能な内径Ｄ１を有すると共に、内周壁１下端周縁にプルタブの指掛け部に係止するための係止部１ｂを形成し、キャップ体Ｃの内径Ｄ１は、内周壁１下端から天井面に向けてテーパー面１ａを形成している。【選択図】図２
0003153386.tif 000002
【実用新案登録請求の範囲】
【請求項１】
下方が開口され、上方は閉塞されて天井面を有する合成樹脂材からなる円筒状のキャップ体であって、
キャップ体は、少なくとも飲料用缶容器の外周縁上部に嵌合可能な内径を有すると共に、
内周壁下端周縁にプルタブの指掛け部に係止するための係止部を形成している、
ことを特徴とする飲料用缶容器のキャップ体。
【請求項２】
前記キャップ体の内径は、内周壁下端から天井面に向けてテーパー面を形成している、
ことを特徴とする請求項１に記載の飲料用缶容器のキャップ体。
【請求項３】
前記キャップ体の外周壁の下端周縁にはプルタブの指掛け部に係止するための張り出し部を形成している、
ことを特徴とする請求項１〜請求項２の何れかに記載の飲料用缶容器のキャップ体。
【請求項４】
前記キャップ体の上面にストラップを取り付けるための１〜複数の挿通孔が穿設されている、
ことを特徴とする請求項１〜請求項３の何れかに記載の飲料用缶容器のキャップ体。
【請求項５】
前記キャップ体の内周壁上部と天井面間にリング状パッキンが取り付けられている、
ことを特徴とする請求項１〜請求項４の何れかに記載の飲料用缶容器のキャップ体。
【請求項６】
前記キャップ体の上面又は外周壁面には文字、図形又は絵柄が表示されている、
ことを特徴とする請求項１〜請求項５の何れかに記載の飲料用缶容器のキャップ体。
【考案の詳細な説明】
【技術分野】
【０００１】
本考案は、飲料用缶容器のキャップ体に関する。より詳しくは、開缶後の飲み口及び開口部内に塵埃等の異物が付着又は混入することを防止し、また他の器具類を使用することなく、プルタブを容易に引き上げることができる、飲料用缶容器のキャップ体に関する。
【背景技術】
【０００２】
スチールやアルミ等の金属からなる缶容器に入っているコーヒー、ビール、茶、又はジュース等は、自販機やコンビニエンスストアで手軽に購入して飲むことができ、また携行にも便利である等の理由で、その製造、販売量はますます増加の一途をたどっている。
【０００３】
いっぽう、近年の生活環境は悪化の傾向にあり、大気中には塵埃、黄砂又は花粉等が飛散している現状にある。また、たばこの灰燼、他人の唾液、各種のバイ菌、害虫等多種多様な異物類が飛散している、衛生上好ましくない職場環境又は工事現場等も少なくない。
【０００４】
缶容器の多くは、その天板に設けられたタブを引き起こすことによって飲み口や飲料出口となる開口部を開口させるプルタブ方式が一般的に採用されている。開口部をいったん開口し、内容物を缶容器に残した場合には、開口部が開いた状態になっているので、飲用者が気付かないうちに、その開口部から塵埃、灰燼又は害虫等の異物類が混入する場合がある。また同時に飲み口にも塵埃、灰燼又はバイ菌類等が付着することになり、極めて非衛生的である。
【０００５】
缶容器に主として採用している、プルタブ方式におけるタブの引き起こし作業は、指先を美容上伸ばしている女性、指先の力がない高齢者、こども又は病者等には困難である。
【０００６】
開口部からの塵埃等の異物類の混入及び飲み口への塵埃等の付着を防止することを目的とした技術が若干提案されている。例えば、特許文献１（第１頁、図１参照）、特許文献２（第１頁、図１参照）である。特許文献１は、粘着テープにより構成された保護シールを、缶容器飲料の容器本体のプルトップ部分から容器本体の側面の飲み口及びその周囲に該当する部分まで覆うように容器本体に貼付ける、ことを特徴としている。また、特許文献２は、飲料を充填したプルタブ式のアルミ製またはスチール製の缶において、缶の飲み口およびその周囲に、プルタブの引き上げによって、剥離することのできる保護皮膜を設けたことを特徴としている。
【０００７】
特許文献１及び特許文献２は、いずれも保護シール又は保護皮膜によって、缶飲料を飲む直前まで衛生状態を保つものであり、内容物を缶容器に残した場合には、再使用ができない、使い棄てタイプのものであり、環境保全上も好ましくない。
【０００８】
プルタブ方式におけるタブの引き起こし作業を容易にすることを目的とした多数の器具類が提案されている。例えば、
特許文献３の「缶オープナー」（図２、参照）
特許文献４の「オープナー」（図１、参照）
特許文献５の「プルタブオープナー」（図１、参照）
特許文献６の「缶開け器」（図２、参照）
特許文献７の「オープナー付きキーホルダー」（図１、参照）
特許文献８の「ネジ付き蓋およびプルタブ付き蓋両開け具」（図１、参照）
特許文献９の「プルタブオープナー」（図２、参照）
特許文献１０の「容器の口開け装置」（図１、参照）
等々である。
【０００９】
上記、従来技術であるタブの引き起こし用器具類は、いずれもサイズが小型であり、単品で携行して、必要に応じて使用するために、使用後に紛失するケースが極めて多いという欠点がある。
【先行技術文献】
【特許文献】
【００１０】
【特許文献１】特開２０００−３２７０１６号公報
【特許文献２】実開平４−８４号公報
【特許文献３】特開２００３−０８１３９０号公報
【特許文献４】特開２００１−１３９０３０号公報
【特許文献５】特開平１１−３０１７９１号公報
【特許文献６】特開平１１−１８０４９６号公報
【特許文献７】登録実用３０９７３７２号公報
【特許文献８】登録実用３０６９８５７号公報
【特許文献９】登録実用３０６６８５９号公報
【特許文献１０】登録実用３０５７２５１号公報
【考案の概要】
【考案が解決しようとする課題】
【００１１】
本考案が解決しようとする第１の課題は、プルタブ型円筒状の飲料用缶容器における
開缶後の飲み口及び開口部内に、塵埃等の異物が付着又は混入することを防止する、飲料用缶容器のキャップ体を提供することであり、第２の課題は、指先を使用できない女性、指先の力が弱い高齢者、こどもや病者等がプルタブを容易に引き上げることが可能な、
飲料用缶容器のキャップ体を提供することであり、第３の課題は、飲み残した缶容器が何らかの衝撃で転倒した場合、缶容器内の飲料が外部にこぼれ出ることを防止する、飲料用缶容器のキャップ体を提供することである。
【課題を解決するための手段】
【００１２】
本考案者は、上記従来技術が有する各種問題点に鑑み、鋭意検討を重ねて本考案を完成させたものである。
課題を解決するための手段は、本願、実用新案登録請求の範囲の各請求項に記載の考案であり、その具体的な解決手段は、以下の通りである。
【００１３】
課題を解決するための手段（第１考案〜第６考案）は、本願、実用新案登録請求の範囲の各請求項に記載の考案であり、具体的には、
第１の考案は、請求項１に記載の考案であり、
第２の考案は、請求項２に記載の考案であり、
第３の考案は、請求項３に記載の考案であり、
第４の考案は、請求項４に記載の考案であり、
第５の考案は、請求項５に記載の考案であり、
第６の考案は、請求項６に記載の考案であり、
具体的な解決手段は、以下の通りである。      
【００１４】
上記の課題を解決するための第１の考案は、
「下方が開口され、上方は閉塞されて天井面を有する合成樹脂材からなる円筒状のキャップ体であって、キャップ体は、少なくとも飲料用缶容器の外周縁上部に嵌合可能な内径を有すると共に、内周壁下端周縁にプルタブの指掛け部に係止するための係止部を形成している」
ことを特徴としている。
【００１５】
上記の課題を解決するための第２の考案は、
「前記キャップ体の内径は、内周壁下端から天井面に向けてテーパー面を形成している」
ことを特徴としている。
【００１６】
上記の課題を解決するための第３の考案は、
「前記キャップ体の外周壁の下端周縁にはプルタブの指掛け部に係止するための張り出し部を形成している」
ことを特徴としている。
【００１７】
上記の課題を解決するための第４の考案は、
「前記キャップ体の上面にストラップを取り付けるための１〜複数の挿通孔が穿設されている」
ことを特徴としている。
【００１８】
上記の課題を解決するための第５の考案は、
「前記キャップ体の内周壁上部と天井面間にリング状パッキンが取り付けられている」
ことを特徴としている。
【００１９】
上記の課題を解決するための第６の考案は、
「前記キャップ体の上面又は外周壁面には文字、図形又は絵柄が表示されている」
ことを特徴としている。
【考案の効果】
【００２０】
本考案に係る、飲料用缶容器のキャップ体は、上記のような特徴的構成用件から構成され、特徴的構成用件に応じた、以下のような本考案特有の効果を奏する。
また、上記のような特徴的構成用件から構成された飲料用缶容器のキャップ体によれば、上記した本考案の課題を十分に解消することができた。
【００２１】
○第１の考案の効果
第１の考案によれば、
「下方が開口され、上方は閉塞されて天井面を有する合成樹脂材からなる円筒状のキャップ体であって、キャップ体は、少なくとも飲料用缶容器の外周縁上部に嵌合可能な内径を有すると共に、内周壁下端周縁にプルタブの指掛け部に係止するための係止部を形成している」
という、当業界において想到することが困難な特徴的な構成により、
プルタブ型円筒状の飲料用缶容器における開缶後の飲み口及び開口部内に、塵埃等の異物が付着又は混入することを防止する飲料用缶容器のキャップ体の提供という、第１の課題と、指先を使用できない女性、指先の力が弱い高齢者、こどもや病者等がプルタブを容易に引き上げることが可能な、飲料用缶容器のキャップ体の提供という第２の課題を併せて解決することができた。
【００２２】
○第２の考案の効果
第２の考案によれば、
「前記キャップ体の内径は、内周壁下端から天井面に向けてテーパー面を形成している」
という、当業界において想到することが困難な特徴的ある構成としているので、
缶容器メーカーによって異なる微妙な外径寸法に対応できる汎用性を有すると共にテーパー面は、缶容器の外周縁に密着するので、塵埃、灰燼又はバイ菌類の混入及び付着を防止することができる。
【００２３】
○第３の考案の効果
第３の考案によれば、
「前記キャップ体の外周壁の下端周縁にはプルタブの指掛け部に係止するための張り出し部を形成している」
という、当業界において想到することが困難な特徴的な構成としてなるから、
張り出し部をタブ（指掛け部）に押し込み、缶容器の外周縁を介してキャップ体を下方に降ろせば、梃子の原理でタブ（指掛け部）は上方に押し上げられる。これにより、指先を使用できない女性、指先の力が弱い高齢者、こどもや病者等がプルタブを容易に引き上げることができる。
【００２４】
○第４及び第５の考案の効果
第４の考案によれば、
「前記キャップ体の上面にストラップを取り付けるための１〜複数の挿通孔が穿設されている」
という、当業界において想到することが困難な特徴的な構成とし、
また、第５の考案によれば、
「前記キャップ体の内周壁上部と天井面間にリング状パッキンが取り付けられている」
という、当業界において想到することが困難な特徴的な構成としてなるから、
飲み残した缶容器が何らかの衝撃で転倒した場合、缶容器内の飲料が外部にこぼれ出ることを防止する、飲料用缶容器のキャップ体の提供という、第３の課題を解決することができた。
【００２５】
○第６の考案の効果
第６の考案によれば、
「前記キャップ体の上面又は外周壁面には文字、図形又は絵柄が表示されている」
という、当業界において想到することが困難な特徴的な構成により、
当該缶飲料メーカーその他各種企業、プロ野球チーム、プロサッカーチーム又は各種イベント等の広告媒体として、あるいは販促商品（ノベルティー）として利用することができ、缶飲料メーカーのＰＲ効果と販売業績の向上という経済的効果を奏する。
【図面の簡単な説明】
【００２６】
【図１】は、本考案に係る、飲料用缶容器のキャップ体の平面図である。
【図２】（ａ）は、図１における２−２線断面図、（ｂ）は、飲料用缶容器にキャップ体を装着した断面図である。
【図３】は、本考案に係る、キャップ体を飲料用缶容器に装着した斜視図である。
【図４】は、飲料用缶容器の平面図である。
【図５】は、飲料用缶容器のプルタブに係止部を押し込んだ状態の腰部断面図である。
【図６】は、本考案に係る、キャップ体における係止部の他の実施態様を示す底面図である。
【図７】は、本考案に係る、キャップ体の他の実施態様を示す平面図で、（ａ）は、キャップ体の下端外周縁全体に張り出し部を設けた平面図、（ｂ）は、図７におけるＢ−Ｂ線断面図である。
【図８】は、本考案に係る、キャップ体の他の実施態様を示す平面図で、（ａ）は、キャップ体の下端外周縁の一部に張り出し部を設けた平面図、（ｂ）は、図８におけるＢ−Ｂ線断面図である。
【図９】は、缶容器のプルタブにキャップ体の張り出し部を押し込んだ状態の断面図である。
【考案を実施するための形態】
【００２７】
以下、本考案に係る、飲料用缶容器のキャップ体Ｃの実施形態について、図面を参照しながら説明する。キャップ体Ｃは、図１及び図２に示すように、下方が開口され、上方は閉塞されて天井面を有する合成樹脂材からなる円筒状のキャップ体Ｃである。キャップ体Ｃは、飲料用缶容器（以下、缶容器１０という）の外周縁上部１０ａに嵌合可能な内径Ｄ１を有すると共に、内周壁１下端周縁に缶容器１０におけるプルタブＰｔの指掛け部Ｐａ（図４、参照）に係止するためのフック状の係止部１ｂを形成している。またキャップ体Ｃの内径Ｄ１は、内周壁１下端から天井面に向けてテーパー面１ａを形成している。テーパー面１ａを形成しているのは、缶容器メーカーによって異なる微妙な外径寸法に対応できる汎用性をもたせると共に缶容器の外周縁上部１０ａに密着するので、塵埃、灰燼又はバイ菌類の混入及び付着を防止するためである。２は外周壁、３はストラップ用の孔で、キャップ体Ｃの上面１ｃから外周壁２に向けて１〜複数が穿設されている。ＲＰは、リング状パッキンで、キャップ体の内周壁１の上部と天井面間に取り付けられている。
【００２８】
図３は、キャップ体Ｃを缶容器１０に装着した状態を示し、４は、缶容器１０の自他を識別するための目印で、キャップ体Ｃの所有者が、油性ペン等で記入することができる。
５は、ストラップＳに取り付けられたキャラクターグッズ、６は例えば、コーヒーメーカーやビールメーカー等の広告用文字である。
【００２９】
図４は、缶容器１０の平面図で、缶容器１０の天蓋１０ｂにはプルタブＰｔ、指掛け部Ｐａ及び凹部Ｐｂが形成され、リベット１１で、天蓋１０ｂとプルタブＰｔは固着されている。１０ｃは、天蓋１０ｂのほぼ中央に設けられた注出口である。
【００３０】
図５は、缶容器１０のプルタブＰｔにキャップ体Ｃの係止部１ｂを押し込んだ状態を示している。プルタブＰｔを上方に引き上げ、缶容器１０の注出口１０ｃを開口するのには、まずキャップ体Ｃの係止部１ｂの先端をプルタブＰｔの指掛け部Ｐａの端部下に押し込み、キャップ体Ｃの全体を矢印Ｐ１方向に反転させ、指掛け部Ｐａに指先が入る角度に押し上げたら、キャップ体Ｃを缶容器１０から取り外す。つぎに指掛け部Ｐａに指先を入れて引き上げれば缶容器１０の注出口１０ｃを開口することができる。
【００３１】
図６に示すように、キャップ体Ｃの下端周縁には１〜複数の楕円状に切欠された係止部１ｂを形成することもできる。その使用方法は、フック状の係止部１ｂと同様であるから、説明を省略する。
【００３２】
図７（ａ）及び（ｂ）は、キャップ体Ｃの他の実施態様で、図示するように、キャップ体Ｃの下端周縁全体に張り出し部２ａが延設されている。張り出し部２ａは、図９に示すように、その先端をプルタブＰｔの指掛け部Ｐａの端部下に押し込み、キャップ体Ｃの全体を缶容器１０の外周縁上部１０ａを支点にして矢印Ｐ２方向に引き下ろせば、容易に指掛け部Ｐａに指先が入るになるので、キャップ体Ｃを缶容器１０から取り外す。つぎに指掛け部Ｐａに指先を入れて引き上げれば、缶容器１０の注出口１０ｃを開口することができる。
【００３３】
図８（ａ）及び（ｂ）は、キャップ体Ｃのさらなる他の実施態様で、図示するように、キャップ体Ｃの下端周縁の一部に、１〜複数の張り出し部２ａが延設されている。張り出し部２ａのひとつを図９に示すように、その先端をプルタブＰｔの指掛け部Ｐａの端部下に押し込み、キャップ体Ｃの全体を缶容器１０の外周縁上部１０ａを支点にして矢印Ｐ２方向に引き下ろせば、容易に指掛け部Ｐａに指先が入るになるので、キャップ体Ｃを缶容器１０から取り外す。つぎに指掛け部Ｐａに指先を入れて引き上げれば、缶容器１０の注出口１０ｃを開口することができる。
【符号の説明】
【００３４】
Ｃ                          キャップ体
Ｄ１                        キャップ体の内径
Ｄ２                        キャップ体の外径
１                          内周壁
１ａ                        テーパー面
１ｂ                        係止部
１ｃ                        上面
２                          外周壁
２ａ                        張り出し部
３                          挿通孔
ＲＰ                        リング状パッキン
４                          目印
５                          キャラクターグッズ
６                          広告用文字、図形又は絵柄
１０                        飲料用缶容器
１０ａ                      外周縁上部
１０ｂ                      天蓋
１０ｃ                      注出口
１１                        リベット
Ｐｔ                        プルタブ
Ｐａ                        指掛け部
Ｐｂ                        凹部
【図１】
0003153386.tif 000003
【図２】
0003153386.tif 000004
【図３】
0003153386.tif 000005
【図４】
0003153386.tif 000006
【図５】
0003153386.tif 000007
【図６】
0003153386.tif 000008
【図７】
0003153386.tif 000009
【図８】
0003153386.tif 000010
【図９】
0003153386.tif 000011